(57)【要約】【課題】編糸の種類や一側編地部と他側編地部の編組織に関わらず、編出し部を目立たなくできる編地の編成方法を提供する。【解決手段】一側針床ＢＤに一側ベース部１０Ｂを、他側針床ＦＤに他側ベース部１０Ｆを形成する工程Ａと、割増やしを用いて一側ベース部１０Ｂに繋がる一側増し目１ｃを形成することを繰り返す工程Ｂと、割増やしを用いて他側ベース部１０Ｆに繋がる他側増し目を形成することを繰り返す工程Ｃと、で編出し部を編成する。工程Ｂ，Ｃで割増やしの対象となる編目は、増し目のウエール方向に続く編地部の編目とは表裏逆の編目とする。【選択図】図２
2019112735.tif 000002
【特許請求の範囲】
【請求項１】
互いに対向する一側針床と他側針床、およびこれらの針床に編糸を給糸する給糸部材を有する横編機を用いて、両針床に係止される編出し部を編成し、その編出し部を起点にして前後に対向する一側編地部と他側編地部を編成する編地の編成方法において、
前記一側針床に前記一側編地部と同幅の一側ベース部を形成すると共に、前記他側針床に前記他側編地部と同幅でかつ前記一側ベース部の各編目に繋がる編目からなる他側ベース部を形成する工程Ａと、
前記一側ベース部の編幅方向の端部から順に、前記一側ベース部の編目に繋がる一側増し目を前記一側針床に形成することを繰り返す工程Ｂと、
前記他側ベース部の編幅方向の端部から順に、前記他側ベース部の編目に繋がる他側増し目を前記他側針床に形成することを繰り返すことで前記編出し部を完成させる工程Ｃと、
前記編出し部における複数の前記一側増し目で構成される編目列のウエール方向に前記一側編地部を編成すると共に、複数の前記他側増し目で構成される編目列のウエール方向に前記他側編地部を編成する工程Ｄと、を備え、
前記工程Ｂでは、
前記一側ベース部の端部編目のウエール方向に続く第一編目を編成する工程ｂ１と、
前記第一編目に割増やしを行って、前記第一編目から引き出される第一新規編目を形成する工程ｂ２と、
前記一側ベース部のうちの前記端部編目に隣接する隣接編目と、前記第一編目と前記第一新規編目のいずれか一方の編目と、を重ねてその重ね目を新たな端部編目と規定すると共に、他方の編目を前記一側増し目と規定する工程ｂ３と、を繰り返し、
前記工程Ｃでは、
前記他側ベース部の端部編目のウエール方向に続く第二編目を編成する工程ｃ１と、
前記第二編目に割増やしを行って、前記第二編目から引き出される第二新規編目を形成する工程ｃ２と、
前記他側ベース部のうちの前記端部編目に隣接する隣接編目と、前記第二編目と前記第二新規編目のいずれか一方の編目と、を重ねてその重ね目を新たな端部編目と規定すると共に、他方の編目を前記他側増し目と規定する工程ｃ３と、を繰り返す編地の編成方法。
但し、前記一側増し目のウエール方向に続く前記一側編地部の編目を表目とする場合、前記工程ｂ１の前記第一編目は裏目とし、
前記一側増し目のウエール方向に続く前記一側編地部の編目を裏目とする場合、前記工程ｂ１の前記第一編目は表目とし、
前記他側増し目のウエール方向に続く前記他側編地部の編目を表目とする場合、前記工程ｃ１の前記第二編目は裏目とし、
前記他側増し目のウエール方向に続く前記他側編地部の編目を裏目とする場合、前記工程ｃ１の前記第二編目は表目とする。
【請求項２】
前記一側増し目のウエール方向に続く前記一側編地部の編目を表目とする場合、前記工程ｂ３では前記第一編目を前記隣接編目に重ね、前記第一新規編目を前記一側増し目と規定し、
前記他側増し目のウエール方向に続く前記他側編地部の編目を表目とする場合、前記工程ｃ３では前記第二編目を前記隣接編目に重ね、前記第二新規編目を前記一側増し目と規定する請求項１に記載の編地の編成方法。
【請求項３】
前記一側増し目のウエール方向に続く前記一側編地部の編目を裏目とする場合、前記工程ｂ３では前記第一新規編目を前記隣接編目に重ね、前記第一編目を前記一側増し目と規定し、
前記他側増し目のウエール方向に続く前記他側編地部の編目を裏目とする場合、前記工程ｃ３では第二新規編目を前記隣接編目に重ね、前記第二編目を前記他側増し目と規定する請求項１または請求項２に記載の編地の編成方法。
【請求項４】
前記工程Ａでは、前記一側針床と前記他側針床とに交互に編目を形成することで、前記一側ベース部と前記他側ベース部とを編成する請求項１から請求項３のいずれか１項に記載の編地の編成方法。
【発明の詳細な説明】
【技術分野】
【０００１】
本発明は、編出し部を編成し、その編出し部を起点にして編出し部から分岐する一側編地部と他側編地部とを編成する編地の編成方法に関する。
【背景技術】
【０００２】
横編機を用いて前後に対向する針床に係止される編出し部を編成し、その編出し部を起点として前後に対向する一側編地部と他側編地部を編成する編地の編成方法として、例えば特許文献１に記載の方法が挙げられる。特許文献１では、最初に一側編目と他側編目を編成した後、以下の編成を繰り返すことで編出し部を編成している。
・一側編目よりも編出し部の形成方向側に、その一側編目に続く新たな一側編目を編成し、一側編目の移動によって形成される空針に一側増し目を形成する。
・他側編目よりも編出し部の形成方向側に、その他側編目に続く新たな他側編目を編成し、他側編目の移動によって形成される空針に他側増し目を形成する。
【先行技術文献】
【特許文献】
【０００３】
【特許文献１】特開２０１３−１１０３１号公報
【発明の概要】
【発明が解決しようとする課題】
【０００４】
特許文献１の技術によれば、一側編地部と他側編地部に自然に繋がる目立たない編出し部を編成できる。しかし、使用する編糸の種類や両編地部の編組織によっては編出し部が波打ったようになり、編出し部が目立ってしまう場合がある。この現象は、特に編地部をリブ組織とした場合に顕著である。縮み易いリブ組織に比べて編出し部が縮み難く、編地部の収縮量と編出し部の収縮量とに差ができるためである。
【０００５】
本発明は、上記事情に鑑みてなされたものであり、その目的の一つは、編糸の種類や一側編地部と他側編地部の編組織に関わらず、編出し部を目立たなくできる編地の編成方法を提供することにある。
【課題を解決するための手段】
【０００６】
本発明の編地の編成方法は、
互いに対向する一側針床と他側針床、およびこれらの針床に編糸を給糸する給糸部材を有する横編機を用いて、両針床に係止される編出し部を編成し、その編出し部を起点にして前後に対向する一側編地部と他側編地部を編成する編地の編成方法において、
前記一側針床に前記一側編地部と同幅の一側ベース部を形成すると共に、前記他側針床に前記他側編地部と同幅でかつ前記一側ベース部の各編目に繋がる編目からなる他側ベース部を形成する工程Ａと、
前記一側ベース部の編幅方向の端部から順に、前記一側ベース部の編目に繋がる一側増し目を前記一側針床に形成することを繰り返す工程Ｂと、
前記他側ベース部の編幅方向の端部から順に、前記他側ベース部の編目に繋がる他側増し目を前記他側針床に形成することを繰り返すことで前記編出し部を完成させる工程Ｃと、
前記編出し部における複数の前記一側増し目で構成される編目列のウエール方向に前記一側編地部を編成すると共に、複数の前記他側増し目で構成される編目列のウエール方向に前記他側編地部を編成する工程Ｄと、を備え、
前記工程Ｂでは、
前記一側ベース部の端部編目のウエール方向に続く第一編目を編成する工程ｂ１と、
前記第一編目に割増やしを行って、前記第一編目から引き出される第一新規編目を形成する工程ｂ２と、
前記一側ベース部のうちの前記端部編目に隣接する隣接編目と、前記第一編目と前記第一新規編目のいずれか一方の編目と、を重ねてその重ね目を新たな端部編目と規定すると共に、他方の編目を前記一側増し目と規定する工程ｂ３と、を繰り返し、
前記工程Ｃでは、
前記他側ベース部の端部編目のウエール方向に続く第二編目を編成する工程ｃ１と、
前記第二編目に割増やしを行って、前記第二編目から引き出される第二新規編目を形成する工程ｃ２と、
前記他側ベース部のうちの前記端部編目に隣接する隣接編目と、前記第二編目と前記第二新規編目のいずれか一方の編目と、を重ねてその重ね目を新たな端部編目と規定すると共に、他方の編目を前記他側増し目と規定する工程ｃ３と、を繰り返す編地の編成方法である。
但し、前記一側増し目のウエール方向に続く前記一側編地部の編目を表目とする場合、前記工程ｂ１の前記第一編目は裏目とし、
前記一側増し目のウエール方向に続く前記一側編地部の編目を裏目とする場合、前記工程ｂ１の前記第一編目は表目とし、
前記他側増し目のウエール方向に続く前記他側編地部の編目を表目とする場合、前記工程ｃ１の前記第二編目は裏目とし、
前記他側増し目のウエール方向に続く前記他側編地部の編目を裏目とする場合、前記工程ｃ１の前記第二編目は表目とする。
【０００７】
ここで、表目は、一側針床側（他側針床側）から見たときに、他側針床側（一側針床側）から一側針床側（他側針床側）に向って旧編目から引き出される編目である。また、裏目は、表目と逆方向に引き出される編目である。また、工程Ａの両ベース部の編目は、ニット目でも良いし掛け目でも良い。
【０００８】
本発明の編地の編成方法の一形態として、
前記一側増し目のウエール方向に続く前記一側編地部の編目を表目とする場合、前記工程ｂ３では前記第一編目を前記隣接編目に重ね、前記第一新規編目を前記一側増し目と規定し、
前記他側増し目のウエール方向に続く前記他側編地部の編目を表目とする場合、前記工程ｃ３では前記第二編目を前記隣接編目に重ね、前記第二新規編目を前記一側増し目と規定する形態を挙げることができる。
【０００９】
本発明の編地の編成方法の一形態として、
前記一側増し目のウエール方向に続く前記一側編地部の編目を裏目とする場合、前記工程ｂ３では前記第一新規編目を前記隣接編目に重ね、前記第一編目を前記一側増し目と規定し、
前記他側増し目のウエール方向に続く前記他側編地部の編目を裏目とする場合、前記工程ｃ３では第二新規編目を前記隣接編目に重ね、前記第二編目を前記他側増し目と規定する形態を挙げることができる。
【００１０】
本発明の編地の編成方法の一形態として、
前記工程Ａでは、前記一側針床と前記他側針床とに交互に編目を形成することで、前記一側ベース部と前記他側ベース部とを編成する形態を挙げることができる。
【発明の効果】
【００１１】
本発明の編地の編成方法では、一側編地部と他側編地部の各編目をそれぞれ表目とするか裏目とするかによって、編出し部を構成する第一編目と第二編目を表目とするか裏目とするかを決定している。そうすることで、編地部の収縮や変形に追従する編出し部を備える編地を編成することができる。そのような編出し部を備える編地では、編地部の収縮や変形に編出し部が追従するため、編出し部を目立たなくできる。
【００１２】
また、本発明の編地の編成方法では、一側編地部と他側編地部の編成の起点となる増し目を割増やしによって形成しているため、編出し部の編目が詰んだ状態になり、編出し部に孔が空き難く、編出し部の見栄えが良い。
【００１３】
さらに、本発明の編地の編成方法では、前後に繋がる一側ベース部と他側ベース部を最初に形成し、前後のベース部の間隔を決定している。そのため、編出し部の各編目の間隔にバラツキが生じ難く、各編目の形成状態が均一になり易いので、編出し部を綺麗に仕上げることができる。
【００１４】
本発明の編地の編成方法において、増し目に続く一側編地部と他側編地部の編目が表目の場合、割増やしによって形成される新規編目を増し目とすることで、編出し部の見栄えをさらに向上させることができる。
【００１５】
本発明の編地の編成方法において、増し目に続く一側編地部と他側編地部の編目が裏目の場合、新規編目が引き出される第一編目および第二編目を増し目とすることで、編出し部の見栄えをさらに向上させることができる。
【００１６】
本発明の編地の編成方法において、両ベース部を構成する編目を交互に編成することで、効率的に両ベース部を形成することができる。また、両ベース部の編成条件が揃うので、編出し部が綺麗に仕上がる。
【図面の簡単な説明】
【００１７】
【図１】実施形態１に示す編地（スカート）の概略図である。
【図２】実施形態１に係る編地の編成方法の手順を示す編成工程第一図である。
【図３】実施形態１に係る編地の編成方法の手順を示す編成工程第二図である。
【図４】実施形態１に係る編地の編成方法の手順を示す編成工程第三図である。
【発明を実施するための形態】
【００１８】
＜実施形態１＞
実施形態１では、図１に示すスカート（編地）１００を編成する例を説明する。このスカート１００は、前側編地部（他側編地部）２０Ｆと後側編地部（一側編地部）２０Ｂとが筒状に繋がることで形成されており、その編出し部１０１と編終り部１０２はいずれもスカート１００の側方に設定されている。つまり、このスカート１００は、その側方から編出して、図１に矢印で示す方向に向かって編成を行い、反対側の側方で編み終ることで得られる。特に、編出し部１０１と両編地部２０Ｆ，２０Ｂとの境界では、両編地部２０Ｆ，２０Ｂの収縮や変形が不安定となり、編出し部１０１が目立ち易い。編出し部１０１を目立たなくすることで、スカート１００の商品価値が上がる。ここで、本例の編出し部１０１を形成する対象となる編地は着衣に限定されるわけではなく、例えば鞄などの小物や、家具のカバーなどの産業資材であっても良い。
【００１９】
以下、スカート１００のうち、特に編出し部１０１の編成方法を図２〜４に示す編成工程図に基づいて説明する。スカート１００の編成に使用する横編機は、左右方向に延びかつ前後方向に互いに対向する前後一対の針床を、二組有する４枚ベッド横編機である。横編機は２枚ベッド横編機であっても良く、その場合、隣接する編目の間に空針を設けた針抜き編成を行なうと良い。
【００２０】
図２〜４の小欄に記載の「Ｓ＋数字」は編成工程の番号を示し、小欄の右にある大欄には、各編成工程における編成の様子が示されている。大欄内の黒点は編針を、逆三角形マークは給糸部材を示し、欄外の大文字アルファベットは編針の位置を示している。大欄内の丸マークは表目を、菱形マークは裏目を、二重マークは重ね目を、塗り潰したマークはその編成工程で編成した編目を示す。
【００２１】
本例では、編出し部１０１のウエール方向に続けて１×１のリブ組織の編地部２０Ｂ，２０Ｆ（図１参照）を編成することを前提に、編出し部１０１を編成する。具体的には、ＢＤ（ＦＤ）の編針Ａ，Ｃ，Ｅには、後側編地部２０Ｂ（前側編地部２０Ｆ）の表目を、ＢＤ（ＦＤ）の編針Ｂ，Ｄ，Ｆには、後側編地部２０Ｂ（前側編地部２０Ｆ）の裏目を編成することを前提として編出し部１０１を編成する。
【００２２】
図２のＳ１では、下部後針床（一側針床であって、以下ＢＤと表記する）の編針Ａ〜Ｆと、下部前針床（他側針床であって、以下ＦＤと表記する）の編針Ａ〜Ｆと、に交互に編目を形成する（工程Ａ相当）。本例では、空針に編糸を掛けているので、掛け目からなる両ベース部１０Ｂ，１０Ｆが形成される。抜き糸で編針Ａ〜Ｆに掛け目を形成してから両ベース部１０Ｂ，１０Ｆを形成しても良く、その場合、ニット目からなる両ベース部１０Ｂ，１０Ｆが形成される。
【００２３】
ここで、ＢＤとＦＤとに交互に編目を編成して両ベース部１０Ｂ，１０Ｆを形成することが編成効率上、有利であるが、その他の方法にて両ベース部１０Ｂ，１０Ｆを形成することもできる。例えば、ＢＤまたはＦＤに抜き糸の掛け目を形成し、その掛け目に対してニット目を編成して、さらにニット目に割増やしを行うことで両ベース部１０Ｂ，１０Ｆを形成しても良い。
【００２４】
Ｓ２では、給糸部材を右方向ＲＳに移動させ、ＢＤの編針Ｆ〜Ａにニット目を編成する。このＳ２は、目移しし難い掛け目によって一側ベース部１０Ｂが構成されるために行っている編成であり、一側ベース部１０Ｂがニット目からなる場合は行わなくて良い。つまり、このＳ２は補助的な編成であって、Ｓ２の新たに編成されたニット目は、一側ベース部１０Ｂのウエール方向に続く新たな一側ベース部１０Ｂと考えて良い。編成効率上、Ｓ２では一側ベース部１０Ｂの全ての掛け目に一気にニット目を編成しているが、Ｓ３以降の編成の対象となる掛け目に逐一ニット目を編成しても良い。
【００２５】
Ｓ３以降は、一側ベース部１０Ｂの編幅方向の右方向ＲＳの端部から順に、一側ベース部１０Ｂの編目に繋がる一側増し目１ｃ（Ｓ６など）を一側針床ＢＤに形成することを繰り返す（工程Ｂ相当）。
【００２６】
Ｓ３では、ＢＤの編針Ａに係止される一側ベース部１０Ｂの端部編目１ａ（Ｓ２参照）を上部前針床（他側針床であって、以下ＦＵと表記する）の編針Ａに移動させる。その後、給糸部材を左方向ＬＳに移動させ、端部編目１ａのウエール方向に続く第一編目１を編成する（工程ｂ１相当）。第一編目１はＦＵで編成されるので、ＢＤ側から見て裏目となる。
【００２７】
Ｓ４では、第一編目１を一旦、ＢＤの編針Ａに戻す。そして、Ｓ５では、第一編目１に割増やしを行って、第一編目１から引き出される第一新規編目２を形成する（工程ｂ２相当）。第一編目１に割増やしを行うことで、旧編目である第一編目１はＦＵの編針Ａに移動され、その第一編目１から引き出される編目である第一新規編目２がＢＤの編針Ａに形成される。
【００２８】
ここで、Ｓ４の第一編目１の移動は、上部の針床に係止される編目に対して割増やしできないため、行なっている。単なる横編機の機構上の問題なので、上部の針床の編目に割増やしを行なうことができる横編機であれば、Ｓ４を行なう必要はない。
【００２９】
Ｓ６では、一側ベース部１０Ｂの隣接する隣接編目１ｂと、第一編目１と第一新規編目２のいずれか一方の編目と、を重ねてその重ね目３を新たな端部編目１ａと規定すると共に、他方の編目を一側増し目１ｃと規定する（工程ｂ３）。隣接編目１ｂは、一側ベース部１０Ｂの編目のうち、Ｓ２の時点で端部編目１ａに隣接する編目である。本例では、第一編目１をＢＤの編針Ｂに移動させて重ね目３を形成し、第一新規編目２はＢＤの編針Ａに係止させたまま一側増し目１ｃとしている。
【００３０】
ここで、Ｓ６とは異なり、Ｓ５の第一新規編目２を隣接編目１ｂに重ね、第一編目１をＢＤの編針Ａに移動させて一側増し目１ｃと規定することもできる。但し、一側増し目１ｃのウエール方向に続く一側編地部２０Ｂ（図１）の編目を１×１のリブ組織の表目とする予定であるため、図２のＳ６に示す通りに編成を行なう方が、編出し部１０１（図１）が綺麗に仕上がる。また、本例では、第一編目１を隣接編目１ｂの上に重ね、第一編目１がスカート１００（図１）の内側に配置されるようにしているが、Ｓ５の隣接編目１ｂをＢＤの編針Ｂから別の編針に退避させて、第一編目１をＢＤの編針Ｂに移動させ、その第一編目１の上に隣接編目１ｂを重ねてもかまわない。第一編目１と隣接編目１ｂの重ね方によって編出し部１０１の仕上がりが綺麗になる場合もある。
【００３１】
Ｓ７では、新たな端部編目１ａ（重ね目３）のウエール方向に続く新たな第一編目４を編成する（二回目の工程ｂ１）。第一編目４はＢＤで編成されるので、ＢＤ側から見て表目となる。
【００３２】
Ｓ８では、第一編目４に割増やしを行う（二回目の工程ｂ２）。この割増やしによって、第一編目４はＦＵの編針Ｂに移動され、その第一編目４から引き出される編目である第一新規編目５がＢＤの編針Ｂに形成される。
【００３３】
Ｓ９では、ＢＤの編針Ｃに係止される隣接編目１ｂに第一新規編目５を重ねてその重ね目６を新たな端部編目１ａと規定し、Ｓ１０では、第一編目４をＢＤの編針Ｂに移動させ、その第一編目４を一側増し目１ｃと規定する（二回目の工程ｂ３）。
【００３４】
ここで、第一編目４を隣接編目１ｂに重ね、第一新規編目５を一側増し目１ｃと規定することもできる。しかし、ＢＤの編針Ｂに形成される一側増し目１ｃのウエール方向に続く一側編地部２０Ｂ（図１）の編目を１×１のリブ組織の裏目とする予定であるため、Ｓ９，Ｓ１０に示す通りに編成を行う方が、編出し部１０１（図１）が綺麗に仕上がる。
【００３５】
以降、Ｓ３〜Ｓ６の編成とＳ７〜Ｓ１０の編成とを交互に繰り返す。図３のＳ１１には、一側ベース部１０Ｂ（図２）の最後の編目に重ね目３を形成した状態が示されている。
【００３６】
Ｓ１２では、給糸部材を左方向ＬＳに移動させ、Ｓ１１の重ね目３のウエール方向に続く終端編目７を編成した後、給糸部材を反転させてＦＤの編針Ｆ〜Ａにニット目を編成し、他側ベース部１０Ｆのウエール方向に続く新たな他側ベース部１０Ｆを形成する。終端編目７は最後の一側増し目１ｃと見做して良い。新たな他側ベース部１０Ｆは、Ｓ１１とは別の給糸部材を用いて編成しても良い。また、Ｓ１２とは異なり、Ｓ１３以降の編成の対象となる掛け目に逐一ニット目を編成しても良い。
【００３７】
ここで、終端編目７にさらに割増やしを行っても良い。その場合、終端編目７から引き出される編目を最後の一側増し目１ｃとし、割増やしによってＦＵの編針Ｆに移動された終端編目７は、その近傍の編針（例えば、ＦＤの編針Ｆなど）の編目に重ねると良い。
【００３８】
Ｓ１３以降は、他側ベース部１０Ｆの編幅方向の右方向ＲＳの端部から順に、他側ベース部１０Ｆの編目に繋がる他側増し目１ｆ（Ｓ２０など）をＦＤに形成することを繰り返す（工程Ｃ相当）。もちろん、他側ベース部１０Ｆの編幅方向の左方向ＬＳの端部から順に他側増し目１ｆの形成を開始しても構わない。
【００３９】
Ｓ１３では、ＦＤの編針Ａに係止される他側ベース部１０Ｆの端部編目１ｄ（Ｓ１２参照）を上部後針床（一側針床であって、以下ＢＵと表記する）の編針Ａに移動させる。その後、給糸部材を左方向ＬＳに移動させ、端部編目１ｄのウエール方向に続く第二編目８を編成する（工程ｃ１相当）。第二編目８はＢＵで編成されるので、ＦＤ側から見て裏目となる。
【００４０】
Ｓ１４では、第二編目８を一旦、ＦＤの編針Ａに戻す。そして、Ｓ１５では、第二編目８に割増やしを行って、第二編目８から引き出される第二新規編目９を形成する（工程ｃ２相当）。第二編目８に割増やしを行うことで、旧編目である第二編目８はＢＵの編針Ａに移動され、その第二編目８から引き出される新編目である第二新規編目９がＦＤの編針Ａに形成される。
【００４１】
Ｓ１６では、他側ベース部１０Ｆの隣接編目１ｅと、第二編目８と第二新規編目９のいずれか一方の編目と、を重ねてその重ね目１０を新たな端部編目１ｄと規定すると共に、他方の編目を他側増し目１ｆと規定する（工程ｃ３）。隣接編目１ｅは、他側ベース部１０Ｆの編目のうち、Ｓ１２の時点で端部編目１ｄに隣接する編目である。本例では、第二編目８をＦＤの編針Ｂに移動させて重ね目１０を形成し、第二新規編目９はＦＤの編針Ａに係止させたまま他側増し目１ｆとしている。ここで、第二編目８と隣接編目１ｅの重ね方は、Ｓ１６の重ね方と逆でも構わない。
【００４２】
Ｓ１７では、新たな端部編目１ｄ（重ね目１０）のウエール方向に続く新たな第二編目１１を編成する（二回目の工程ｃ１）。第二編目１１はＦＤで編成されるので、ＦＤ側から見て表目となる。
【００４３】
Ｓ１８では、第二編目１１に割増やしを行う（二回目の工程ｃ２）。この割増やしによって、第二編目１１はＢＵの編針Ｂに移動され、その第二編目１１から引き出される新編目である第二新規編目１２がＦＤの編針Ｂに形成される。
【００４４】
Ｓ１９では、ＦＤの編針Ｃに係止される隣接編目１ｅに第二新規編目１２を重ねてその重ね目１３を新たな端部編目１ｄと規定し、Ｓ２０では、第二編目１１をＦＤの編針Ｂに移動させ、その第二編目１１を他側増し目１ｆと規定する（二回目の工程ｃ３）。
【００４５】
以降、Ｓ１３〜Ｓ１６の編成とＳ１７〜Ｓ２０の編成とを交互に繰り返す。図４のＳ２１には、他側ベース部１０Ｆ（図３）の最後の編目に重ね目１０を形成した状態が示されている。Ｓ２２では、給糸部材を左方向ＬＳに移動させ、最後の重ね目１０のウエール方向に続く終端編目１４を編成し、編出し部１０１を完成させる。終端編目１４は最後の他側増し目１ｆと見做すことができる。この終端編目１４にさらに割増やしを行っても良い。その場合、割増やしによって形成される新編目を最後の他側増し目１ｆとし、割増やしによってＢＵの編針Ｆに移動された終端編目１４は、その近傍の編針（例えば、ＢＤの編針Ｆなど）の編目に重ねると良い。
【００４６】
編出し部１０１が完成したら、その編出し部１０１を編成の起点として一側編地部２０Ｂと他側編地部２０Ｆを編成する（工程Ｄ相当）。具体的には、Ｓ２３では、第一編目列５０Ｂを構成する複数の一側増し目１ｃをＢＤとＦＵとに振り分けてから、第一編目列５０Ｂのウエール方向に続けて１×１のリブ組織の一側編地部２０Ｂを編成する。Ｓ２４では、第二編目列５０Ｆを構成する複数の他側増し目１ｆをＦＤとＢＵとに振り分けてから、第二編目列５０Ｆのウエール方向に続けて１×１のリブ組織の他側編地部２０Ｆを編成する。本例の編地（スカート）１００では、一側編地部２０Ｂと他側編地部２０Ｆとが編幅方向の端部で繋がっていないため、Ｓ２４で使用する給糸部材はＳ２３で使用する給糸部材とは別物である。両編地部２０Ｂ，２０Ｆが筒状に繋がる編地を編成する場合、一つの給糸部材を用いて両編地部２０Ｂ，２０Ｆを連続して編成すると良い。
【００４７】
以上説明したように、図４に示す一側編地部２０Ｂと他側編地部２０Ｆの編成の起点となる一側増し目１ｃ（図２）と他側増し目１ｆ（図３）を割増やしによって形成することで、編出し部１０１の編目が詰んだ状態になり、編出し部１０１に孔が空き難く、編出し部１０１の見栄えが良くなる。
【００４８】
また、本例の編地の編成方法では、以下の条件を満たすように編出し部１０１を編成することで、編地部２０Ｂ，２０Ｆの収縮や変形に追従する編出し部１０１を編成することができる。そのような編出し部１０１を備える編地１００（図１）では、編地部２０Ｂ，２０Ｆの収縮に編出し部１０１が追従するため、編出し部１０１を目立たなくできる。
・一側増し目１ｃ（図４のＳ２２）のウエール方向に続く一側編地部２０Ｂの編目を表目とする場合（図４のＳ２３）、その一側増し目１ｃの形成に関わる工程ｂ１の第一編目１は裏目とする（図２のＳ３）。
・一側増し目１ｃ（図４のＳ２２）のウエール方向に続く一側編地部２０Ｂの編目を裏目とする場合（図４のＳ２３）、その一側増し目１ｃの形成に関わる工程ｂ１の第一編目４は表目とする（図２のＳ７）。
・他側増し目１ｆ（図４のＳ２２）のウエール方向に続く他側編地部２０Ｆの編目を表目とする場合（図４のＳ２４）、その他側増し目１ｆの形成に関わる工程ｃ１の第二編目８は裏目とする（図３のＳ１３）。
・他側増し目１ｆ（図４のＳ２２）のウエール方向に続く他側編地部２０Ｆの編目を裏目とする場合（図４のＳ２４）、その他側増し目１ｆの形成に関わる工程ｃ１の第二編目１１は表目とする（図３のＳ１７）。
【００４９】
更に、本例の編地の編成方法では、図２のＳ２に示すように、前後に繋がる一側ベース部１０Ｂと他側ベース部１０Ｆを最初に形成して、前後のベース部１０Ｂ，１０Ｆ間の間隔を決定している。そのため、編出し部１０１の各編目の間隔にバラツキが生じ難く、各編目の形成状態が均一になり易いので、編出し部１０１を綺麗に仕上げることができる。
【００５０】
＜変形例＞
実施形態１の編出し部１０１を編成する給糸部材は複数の給糸口を有するプレーティングキャリアなどであっても良い。その他、編地部２０Ｂ，２０Ｆは、１×１以外のリブ組織、例えば１×２や２×２のリブ組織であっても良いし、天竺組織であっても良い。その他、いずれか一方の編地部２０Ｂ（２０Ｆ）を天竺組織、他方の編地部２０Ｆ（２０Ｂ）をリブ組織とすることもできる。このような編成は、編地の表側と裏側とでデザインを変更したい場合に有効である。また、一側編地部２０Ｂと他側編地部２０Ｆの両端部を繋げるように編成すれば、編出し部１０１を底とするバッグのような袋状編地を編成することができる。
【符号の説明】
【００５１】
１，４  第一編目  ８，１１  第二編目
２，５  第一新規編目  ９，１２  第二新規編目
３，６，１０，１３  重ね目
７，１４  終端編目
１ａ，１ｄ  端部編目  １ｂ，１ｅ  隣接編目
１ｃ  一側増し目  １ｆ  他側増し目
１００  スカート（編地）
１０１  編出し部
１０２  編終り部
１０Ｂ  一側ベース部  １０Ｆ  他側ベース部
２０Ｂ  後側編地部（一側編地部）  ２０Ｆ  前側編地部（他側編地部）
５０Ｂ  第一編目列  ５０Ｆ  第二編目列
【図１】
2019112735.tif 000003
【図２】
2019112735.tif 000004
【図３】
2019112735.tif 000005
【図４】
2019112735.tif 000006